【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
電力を生成するモバイルデバイスであって：
燃焼室；
ヒート・シンク；
燃焼室及びヒート・シンクと熱的に連通して燃焼室からヒート・シンクへ熱エネルギーを伝播する熱から電気への変換（ＴＥＣ）モジュールであって、ＴＥＣモジュール全体の熱流束によって電力が生成される熱から電気への変換（ＴＥＣ）モジュール；
燃焼室へ燃料を送るための燃料送達システム；及び
燃料送達システムによる燃焼室への燃料の送達を少なくとも監視及び制御し、ＴＥＣモジュール全体の温度勾配を制御して熱から電気エネルギーへの変換デバイスによって生じる電力を制御する制御システム
を含むモバイルデバイス。
【請求項２】
ＴＥＣモジュールが燃焼室の片側に配置され、さらに：
燃焼室の別の側に配置され、燃焼室と熱的に連通している別のＴＥＣモジュール；及び
別のＴＥＣモジュールと熱的に連通している別のヒート・シンクであって、別のＴＥＣモジュール全体の熱流束によって電力が生成されるヒート・シンク
を含む、請求項１に記載のモバイルデバイス。
【請求項３】
２つの同心パイプを含み且つ２つの同心パイプのうちの内側のパイプによって燃焼室が形成され、２つの同心パイプのうちの外側のパイプがヒート・シンクと熱的に連通している熱交換器をさらに含み、さらに：
別のＴＥＣモジュール；及び
別のＴＥＣモジュールと熱的に連通している別のヒート・シンク
を含み、
ＴＥＣモジュール両方が内側のパイプ及び外側のパイプの間に配置され、燃焼室と各ヒート・シンクに熱的に連結して、燃焼室とヒート・シンクの間で熱エネルギーを伝播して電気エネルギーを生成する、請求項１に記載のモバイルデバイス。
【請求項４】
燃焼室及びヒート・シンクの間に配置され、各ＴＥＣモジュールの端部を絶縁して、デバイスの他の全ての可能な経路を介して寄生損失に終わる代わりに、ＴＥＣモジュールを介して熱エネルギーの流れを分離する絶縁材料の層をさらに含む、請求項３に記載のモバイルデバイス。
【請求項５】
マグネシウムワイヤ燃料供給源をさらに含み；
燃料送達システムが、燃焼室へマグネシウムワイヤを送るためのマグネシウムワイヤ供給システムを含み、制御システムがマグネシウムワイヤの送り速度を調節して、ＴＥＣモジュール全体の温度勾配をほぼ一定に維持してほぼ均一な出力を提供する、
請求項１に記載のモバイルデバイス。
【請求項６】
燃焼室がバードネスト燃焼室を含み、デバイスがさらに：
バードネスト燃焼室に熱的に連結された熱板；
冷板；及び、
熱板及び冷板の間にそれぞれ配置され、熱板及び冷板と熱的に連通して、熱板から熱エネルギーを冷板へ伝播して電気エネルギーを生成する複数のＴＥＣモジュール
を含み、バードネスト燃焼室が、各ＴＥＣモジュールへ熱エネルギーをほぼ均等に分散させる構造を含む、請求項１に記載のモバイルデバイス。
【請求項７】
バードネスト燃焼室に接続され、燃焼用空気が燃焼室に入り、燃焼室から全てのスラグを移動させることを可能にするスラグシュートをさらに含む、請求項６に記載のモバイルデバイス。
【請求項８】
熱板及び冷板に形成された開口部を貫いて配置された、バードネスト燃焼室からの燃焼ガスを排出させるための排気筒をさらに含み、複数のＴＥＣモジュールが排気筒周囲に位置づけされ、排気筒がスラグシュートの延長部を形成する、請求項７に記載のモバイルデバイス。
【請求項９】
マグネシウムワイヤ燃料が巻かれたスプールをさらに含み、スラグシュートがスプールの中央を貫いて延びており、
燃料送達システムが、マグネシウムワイヤをバードネスト燃焼室へ送るためのマグネシウムワイヤ供給システムを含み、制御システムが、マグネシウムワイヤの送り速度を調節して、ＴＥＣモジュール全体の温度勾配をほぼ一定に維持して、デバイスからのほぼ均一な出力を提供する、請求項８に記載のモバイルデバイス。
【請求項１０】
冷板に熱的に連結されたヒート・シンク；
ヒート・シンクから熱を除去する冷却ファン；及び、
熱板、冷板、ヒート・シンク及び冷却ファンに形成された開口部を通して配置されたバードネスト燃焼室からの燃焼ガスを排出させる排気筒
を更に含み、複数のＴＥＣモジュールが排気筒周囲及び排気筒に位置づけされている、請求項６に記載のモバイルデバイス。
【請求項１１】
燃焼室；
燃焼室の片側と熱的に連通している第１熱板；
第１冷板；
第１熱板及び第１冷板の間に配置され、第１熱板及び第１冷板と熱的に連通して、第１熱板から熱エネルギーを第１冷板へ伝播する第１ＴＥＣモジュールであって、第１ＴＥＣモジュール全体の熱流束により電力が生成される第１ＴＥＣモジュール；
燃焼室の別の側と熱的に連通している第２熱板；
第２冷板；
第２熱板及び第２冷板の間に配置され、第２熱板及び第２冷板と熱的に連通して、第２熱板から熱エネルギーを第２冷板へ伝播する第２ＴＥＣモジュールであって、第２ＴＥＣモジュール全体の熱流束により電力が生成される第２ＴＥＣモジュール；
マグネシウムワイヤ燃料供給源；
マグネシウムワイヤを燃焼室へ送るためのマグネシウムワイヤ供給システム；
ＴＥＣモジュール全体の温度勾配をほぼ一定に維持してほぼ均一な出力を提供する制御システム
を含む、電力を生成するモバイルデバイス。
【請求項１２】
第１及び第２熱板、第１及び第２冷板、第１及び第２ＴＥＣモジュール、及び燃焼室を含む第１ハウジング部と、
マグネシウムワイヤ燃料供給源、マグネシウムワイヤ供給システム、及び制御システムを含む第２ハウジング部
をさらに含む、請求項１１に記載のモバイルデバイス。
【請求項１３】
第１冷板から伝播した熱を受ける第１ヒート・シンク；
第２冷板から伝播した熱を受ける第２ヒート・シンク；
外の冷却用空気が第１及び第２ヒート・シンク全体に流れるようにするファン
をさらに含み、制御システムが、燃焼室へのマグネシウムワイヤ燃料の送り速度を制御し、またファンを制御する熱管理システムを含む、請求項１２に記載のモバイルデバイス。
【請求項１４】
電力を生成するモバイルデバイスであって：
バードネスト燃焼室；
バードネスト燃焼室に熱的に連結した熱板；
冷板；及び
熱板及び冷板の間にそれぞれ配置され、熱板及び冷板と熱的に連通して熱板から冷板へ熱エネルギーを伝播して電気エネルギーを生成する複数のＴＥＣモジュール
を含み、
バードネスト燃焼室と熱板が、熱エネルギーを各ＴＥＣモジュールへほぼ均等に分配する構造を含む、電力を生成するモバイルデバイス。
【請求項１５】
さらに：
マグネシウムワイヤ燃料供給源；及び
マグネシウムワイヤを燃焼室へ送るマグネシウムワイヤ供給システム
を含む、請求項１４に記載のモバイルデバイス。
【請求項１６】
冷板と熱的に連通しているヒート・シンク；
外の冷却用空気をヒート・シンク全体に流れるようにするファン；及び、
燃焼室への燃料の速度を制御し、またファンを制御して、ＴＥＣモジュール全体の温度勾配をほぼ一定に維持してデバイスからのほぼ均一な出力を提供する制御システム
をさらに含む、請求項１４に記載のモバイルデバイス。
【請求項１７】
バードネスト燃焼室からの燃焼ガスを排出する排気筒をさらに含み、排気筒が熱板及び冷板に形成された開口部を通って延び、複数のＴＥＣモジュールが排気筒周囲にほぼ均等に分布している、請求項１４に記載のモバイルデバイス。
【請求項１８】
バードネスト燃焼室と連通して燃焼用空気が燃焼室に進入するのを可能にする空気吸入口をさらに含み、給気口が燃焼室の延長部を形成し、全てのスラグが燃焼室から落下できるようにする、請求項１７に記載のモバイルデバイス。
【請求項１９】
電力を生成する方法であって：
ＴＥＣモジュール全体に熱流束を作り出して電力を生成すること、及び
ＴＥＣモジュール全体の温度勾配を制御してほぼ均一な出力を提供する
ことを含み、温度勾配の制御が：
電力を生成するデバイスの燃焼室への燃料の送り速度を制御すること；そして、
ＴＥＣモジュールに熱的に連結されたヒート・シンク全体の冷却用空気の流れを制御すること
のうちの少なくとも１つを含む方法。
【請求項２０】
複数のＴＥＣモジュールに熱をほぼ均等に分散させるように燃焼室を構成することをさらに含む、請求項１９に記載の方法。
【請求項２１】
燃焼室からの高温排気ガスを使用して燃焼室へ進入する低温の供給空気を温めることによって燃焼効率を上げること；及び
低温供給空気を使用して高温排気ガスを冷却すること
をさらに含む、請求項１９に記載の方法。
【請求項２２】
燃料の送り速度の制御が、燃焼室へのマグネシウムワイヤの送り速度を制御することを含む、請求項１９に記載の方法。
【手続補正２】
【補正対象書類名】明細書
【補正対象項目名】００７５
【補正方法】変更
【補正の内容】
【００７５】
特定の実施形態について図示及び説明してきたが、当業者には同じ目的を達成するために計算された全ての配置構成を、示した特定の実施形態と置き換えることができ、本発明が他の環境において別の用途を有することが理解される。この用途は、本発明の全ての適応形態又は変化を網羅するものである。下記の請求項は本発明の範囲を本明細書において説明した特定の実施形態に決して限定するものではない。
また、本願は以下に記載する態様を含む。
（態様１）
電力を生成するモバイルデバイスであって：
燃焼室；
ヒート・シンク；
燃焼室及びヒート・シンクと熱的に連通して燃焼室からヒート・シンクへ熱エネルギーを伝播する熱から電気への変換（ＴＥＣ）モジュールであって、ＴＥＣモジュール全体の熱流束によって電力が生成される熱から電気への変換（ＴＥＣ）モジュール；
燃焼室へ燃料を送るための燃料送達システム；及び
燃料送達システムによる燃焼室への燃料の送達を少なくとも監視及び制御し、ＴＥＣモジュール全体の温度勾配を制御して熱から電気エネルギーへの変換デバイスによって生じる電力を制御する制御システム
を含むモバイルデバイス。
（態様２）
ＴＥＣモジュールが燃焼室の片側に配置され、さらに：
燃焼室の別の側に配置され、燃焼室と熱的に連通している別のＴＥＣモジュール；及び
別のＴＥＣモジュールと熱的に連通している別のヒート・シンクであって、別のＴＥＣモジュール全体の熱流束によって電力が生成されるヒート・シンク
を含む、態様１に記載のモバイルデバイス。
（態様３）
２つの同心パイプを含み且つ２つの同心パイプのうちの内側のパイプによって燃焼室が形成され、２つの同心パイプのうちの外側のパイプがヒート・シンクと熱的に連通している熱交換器をさらに含み、さらに：
別のＴＥＣモジュール；及び
別のＴＥＣモジュールと熱的に連通している別のヒート・シンク
を含み、
ＴＥＣモジュール両方が内側のパイプ及び外側のパイプの間に配置され、燃焼室と各ヒート・シンクに熱的に連結して、燃焼室とヒート・シンクの間で熱エネルギーを伝播して電気エネルギーを生成する、態様１に記載のモバイルデバイス。
（態様４）
燃焼室及びヒート・シンクの間に配置され、各ＴＥＣモジュールの端部を絶縁して、デバイスの他の全ての可能な経路を介して寄生損失に終わる代わりに、ＴＥＣモジュールを介して熱エネルギーの流れを分離する絶縁材料の層をさらに含む、態様３に記載のモバイルデバイス。
（態様５）
熱交換器の２つの同心パイプが燃焼用空気を燃焼室へ送り、燃焼で生じた高温ガスを排出させる構造を含む、態様３に記載のモバイルデバイス。
（態様６）
熱交換器は、燃焼室からの高温の廃棄ガスを使用して燃焼室に進入する供給冷気を温めて燃焼効率を上げる、そして、供給冷気を利用して高温の排気ガスを放出される前に冷す構造を含む、態様３に記載のモバイルデバイス。
（態様７）
各ヒート・シンクが複数の空気冷却フィンを含み、デバイスがさらに、外気を燃焼のために燃焼室に及びヒート・シンクの空気冷却フィンの上に吹き入れる熱交換器の端部のファンを含む、態様３に記載のモバイルデバイス。
（態様８）
ヒート・シンクから熱を除去するためのファン；及び
燃料の燃焼室への送り速度を制御し、ＴＥＣモジュール全体の温度勾配をほぼ一定に維持して、デバイスからのほぼ均一な出力を提供するためにファンを制御する制御装置
をさらに含む、態様１に記載のモバイルデバイス。
（態様９）
マグネシウムワイヤ燃料供給源をさらに含み；
燃料送達システムが、燃焼室へマグネシウムワイヤを送るためのマグネシウムワイヤ供給システムを含み、制御システムがマグネシウムワイヤの送り速度を調節して、ＴＥＣモジュール全体の温度勾配をほぼ一定に維持してほぼ均一な出力を提供する、
態様１に記載のモバイルデバイス。
（態様１０）
マグネシウムワイヤ供給システムが摩擦ベースの供給システムであり、デバイスがマグネシウムワイヤに点火して、電気スパークギャップイグナイターをさらに含む、態様９に記載のモバイルデバイス。
（態様１１）
燃焼室がバードネスト燃焼室を含み、デバイスがさらに：
バードネスト燃焼室に熱的に連結された熱板；
冷板；及び、
熱板及び冷板の間にそれぞれ配置され、熱板及び冷板と熱的に連通して、熱板から熱エネルギーを冷板へ伝播して電気エネルギーを生成する複数のＴＥＣモジュール
を含み、バードネスト燃焼室が、各ＴＥＣモジュールへ熱エネルギーをほぼ均等に分散させる構造を含む、態様１に記載のモバイルデバイス。
（態様１２）
バードネスト燃焼室に接続され、燃焼用空気が燃焼室に入り、燃焼室から全てのスラグを移動させることを可能にするスラグシュートをさらに含む、態様１１に記載のモバイルデバイス。
（態様１３）
熱板及び冷板に形成された開口部を貫いて配置された、バードネスト燃焼室からの燃焼ガスを排出させるための排気筒をさらに含み、複数のＴＥＣモジュールが排気筒周囲に位置づけされ、排気筒がスラグシュートの延長部を形成する、態様１２に記載のモバイルデバイス。
（態様１４）
マグネシウムワイヤ燃料が巻かれたスプールをさらに含み、スラグシュートがスプールの中央を貫いて延びており、
燃料送達システムが、マグネシウムワイヤをバードネスト燃焼室へ送るためのマグネシウムワイヤ供給システムを含み、制御システムが、マグネシウムワイヤの送り速度を調節して、ＴＥＣモジュール全体の温度勾配をほぼ一定に維持して、デバイスからのほぼ均一な出力を提供する、態様１３に記載のモバイルデバイス。
（態様１５）
冷板に熱的に連結されたヒート・シンク；
ヒート・シンクから熱を除去する冷却ファン；及び、
熱板、冷板、ヒート・シンク及び冷却ファンに形成された開口部を通して配置されたバードネスト燃焼室からの燃焼ガスを排出させる排気筒
を更に含み、複数のＴＥＣモジュールが排気筒周囲及び排気筒に位置づけされている、態様１１に記載のモバイルデバイス。
（態様１６）
排気筒からの排気をフィルターにかけるフィルターをさらに含む、態様１５に記載のモバイルデバイス。
（態様１７）
燃焼室へ燃料を供給するためのマグネシウムワイヤ燃料供給システム、ガス燃料供給源、及び放射性燃料ペレットシステムのうちの一つをさらに含む、態様１に記載のモバイルデバイス。
（態様１８）
燃焼室；
燃焼室の片側と熱的に連通している第１熱板；
第１冷板；
第１熱板及び第１冷板の間に配置され、第１熱板及び第１冷板と熱的に連通して、第１熱板から熱エネルギーを第１冷板へ伝播する第１ＴＥＣモジュールであって、第１ＴＥＣモジュール全体の熱流束により電力が生成される第１ＴＥＣモジュール；
燃焼室の別の側と熱的に連通している第２熱板；
第２冷板；
第２熱板及び第２冷板の間に配置され、第２熱板及び第２冷板と熱的に連通して、第２熱板から熱エネルギーを第２冷板へ伝播する第２ＴＥＣモジュールであって、第２ＴＥＣモジュール全体の熱流束により電力が生成される第２ＴＥＣモジュール；
マグネシウムワイヤ燃料供給源；
マグネシウムワイヤを燃焼室へ送るためのマグネシウムワイヤ供給システム；
ＴＥＣモジュール全体の温度勾配をほぼ一定に維持してほぼ均一な出力を提供する制御システム
を含む、電力を生成するモバイルデバイス。
（態様１９）
第１及び第２熱板、第１及び第２冷板、第１及び第２ＴＥＣモジュール、及び燃焼室を含む第１ハウジング部と、
マグネシウムワイヤ燃料供給源、マグネシウムワイヤ供給システム、及び制御システムを含む第２ハウジング部
を含む、態様１８に記載のモバイルデバイス。
（態様２０）
第１冷板から伝播した熱を受ける第１ヒート・シンク；
第２冷板から伝播した熱を受ける第２ヒート・シンク；
外の冷却用空気が第１及び第２ヒート・シンク全体に流れるようにするファン
をさらに含む、態様１９に記載のモバイルデバイス。
（態様２１）
制御システムが、燃焼室へのマグネシウムワイヤ燃料の送り速度を制御し、またファンを制御してＴＥＣモジュール全体の温度勾配をほぼ一定に維持し、デバイスからのほぼ均一な出力を提供する熱管理システムを含む、態様２０に記載のモバイルデバイス。
（態様２２）
電力を生成するモバイルデバイスであって：
バードネスト燃焼室；
バードネスト燃焼室に熱的に連結した熱板；
冷板；及び
熱板及び冷板の間にそれぞれ配置され、熱板及び冷板と熱的に連通して熱板から冷板へ熱エネルギーを伝播して電気エネルギーを生成する複数のＴＥＣモジュール
を含み、
バードネスト燃焼室と熱板が、熱エネルギーを各ＴＥＣモジュールへほぼ均等に分配する構造を含む、電力を生成するモバイルデバイス。
（態様２３）
さらに：
マグネシウムワイヤ燃料供給源；及び
マグネシウムワイヤを燃焼室へ送るマグネシウムワイヤ供給システム
を含む、態様２２に記載のモバイルデバイス。
（態様２４）
外部燃料源及び放射性燃料ペレット源のうちの一つをさらに含む、態様２２に記載のモバイルデバイス。
（態様２５）
冷板と熱的に連通しているヒート・シンク；
外の冷却用空気をヒート・シンク全体に流れるようにするファン；及び、
燃焼室への燃料の速度を制御し、またファンを制御して、ＴＥＣモジュール全体の温度勾配をほぼ一定に維持してデバイスからのほぼ均一な出力を提供する制御システム
をさらに含む、態様２２に記載のモバイルデバイス。
（態様２６）
バードネスト燃焼室からの燃焼ガスを排出する排気筒をさらに含み、排気筒が熱板及び冷板に形成された開口部を通って延び、複数のＴＥＣモジュールが排気筒周囲にほぼ均等に分布している、態様２２に記載のモバイルデバイス。
（態様２７）
バードネスト燃焼室と連通して燃焼用空気が燃焼室に進入するのを可能にする空気吸入口をさらに含む、態様２６に記載のモバイルデバイス。
（態様２８）
給気口が燃焼室の延長部を形成し、全てのスラグが燃焼室から落下できるようにする、態様２７に記載のモバイルデバイス。
（態様２９）
電力を生成する方法であって：
ＴＥＣモジュール全体に熱流束を作り出して電力を生成すること、及び
ＴＥＣモジュール全体の温度勾配を制御してほぼ均一な出力を提供する
ことを含み、温度勾配の制御が：
電力を生成するデバイスの燃焼室への燃料の送り速度を制御すること；そして、
ＴＥＣモジュールに熱的に連結されたヒート・シンク全体の冷却用空気の流れを制御すること
のうちの少なくとも１つを含む方法。
（態様３０）
複数のＴＥＣモジュールに熱をほぼ均等に分散させるように燃焼室を構成することをさらに含む、態様２９に記載の方法。
（態様３１）
燃焼室からの高温排気ガスを使用して燃焼室へ進入する低温の供給空気を温めることによって燃焼効率を上げること；及び
低温供給空気を使用して高温排気ガスを冷却すること
をさらに含む、態様２９に記載の方法。
（態様３２）
燃料の送り速度の制御が、燃焼室へのマグネシウムワイヤの送り速度を制御することを含む、態様２９に記載の方法。